(57)【特許請求の範囲】
【請求項１】
内部に収容空間が形成されるマスクと、
前記マスクの収容空間に収容され、電源がそれぞれに設けられ個別動作可能な少なくとも一つの振動モジュールと、
を含み、
前記振動モジュールは、
印刷回路基板と、
前記印刷回路基板に設置される振動子と、
前記印刷回路基板に実装され、電源供給の際に前記振動子の振動動力を提供する駆動部と、
前記駆動部に電源を供給するバッテリーと、
前記印刷回路基板とバッテリーを一体的に連結する楕円形状の支持板と、
を有し、
前記印刷回路基板及び前記支持板には、前記振動子が嵌めこまれる振動子孔及び／又は前記バッテリーが嵌めこまれるバッテリー孔が形成されている、顔面マッサージ器。
【請求項２】
前記マスクは、周縁部が互いに固定されて内側に前記収容空間を形成する第１マスク及び第２マスクからなり、
前記第１マスク及び第２マスクのいずれか一方には、前記振動モジュールの挿入及び引出のための切開された挿入口が一つ以上形成されることを特徴とする、請求項１に記載の顔面マッサージ器。
【請求項３】
前記振動モジュールは、
前記バッテリーの電源端子及び前記印刷回路基板に形成された前記駆動部の電源端子を電気的に連結する電源接続部材と、
前記バッテリーの電源端子及び電源接続部材間の接触領域に付着され、前記バッテリーから分離されるとき、前記バッテリーの電源端子と電源接続部材間の接触を許容する絶縁部材と、
をさらに有する、請求項１に記載の皮膚マッサージ用振動モジュール。
【請求項４】
前記振動モジュールは、前記駆動部を制御して前記振動子の振動状態を制御する制御部をさらに含み、
前記制御部は、前記駆動部をパルス幅変調（ＰＷＭ：ｐｕｌｓｅ ｗｉｄｔｈ ｍｏｄｕ
ｌａｔｉｏｎ）方式で制御し、互いに異なる二つ以上の出力パルスを前記駆動部に出力し、前記互いに異なる二つ以上の出力パルスは前もって設定された基準によって順次出力されるかあるいは前もって選択されたいずれか一種だけが継続出力されることを特徴とする、請求項３に記載の顔面マッサージ器。
【請求項５】
前記マスクを人体の頭部に着用するための着用部をさらに含むことを特徴とする、請求項１に記載の顔面マッサージ器。
【発明の詳細な説明】
【技術分野】
【０００１】
本発明は、顔面マッサージ器に係り、特に外部電源が無くてもマスクの振動モジュールを個別動作させて顔面の全部または局部のマッサージが可能であり、振動モジュールの振動子をパルス幅変調（ＰＷＭ：ｐｕｌｓｅ ｗｉｄｔｈ ｍｏｄｕｌａｔｉｏｎ）方式の多様な振動パターンで操作して、撫で、擦り、掴み、押し、叩きなどのように人の手によって行われるマッサージ作用と類似した多様なマッサージ機能を提供することができる顔面マッサージ器に関するものである。
【背景技術】
【０００２】
一般に、皮膚の弾力向上及び老化防止のために、各種の化粧品やマッサージ用クリームなどの機能性化粧品が使われており、このような機能性化粧品を使って皮膚を管理してくれる専門マッサージ企業なども盛んになっている。
【０００３】
また、顔面の皮膚に刺激を与えるマッサージ器（以下、“顔面マッサージ器”という）も提供されている。このような顔面マッサージ器は通常顔面形状のマスクに振動モーターを取り付けて顔面の経絡に振動を与え、これにより血液循環を円滑にして皮膚老化などを予防する。
【０００４】
図１は従来の顔面マッサージ器を示した図である。同図に示したように、従来の顔面マッサージ器は、マスク１０、このマスク１０に設置される電極ノード（図示せず）、ＬＥＤ表示灯２０、入力端子３０、制御端末機４０、及び着用バンド５０を含んで構成される。
【０００５】
マスク１０は一般人の顔面を覆うように標準顔面形状を持つ非常に柔軟なシリコン素材から形成される。
【０００６】
電極ノードはマスク１０の内面に設置されるもので、このような電極ノードは顔面の経血部位に電流を流して刺激する機能をする。
【０００７】
ＬＥＤ表示灯２０はマスク１０の外面に設置され、前記電極ノードの正常作動可否を視覚的に表示する機能をする。
【０００８】
入力端子３０は、前記電極ノード及びＬＥＤ表示灯２０を駆動させるための電源及び各種の制御信号を後述する制御端末機４０から受ける機能をする。
【０００９】
制御端末機４０は、マスク１０に駆動電源を供給し、使用者が各種の設定値を入力することができるようにし、また入力される設定値によって駆動回路基板（図示せず）に各種の制御信号を伝達する機能をする。
【００１０】
最後に、着用バンド５０はマスク１０の両側に付着され、これを用いて使用者がマスク１０を顔面に着用することができるようにする機能をする。
【００１１】
しかし、前記のような従来の顔面マッサージ器は、そのマスクと制御端末機がマスクの入力端子及び制御端末機の間にあるコネクターを介して電気的に接続された後、制御端末機からマスクの電極ノードに電源が印加される形態であるので、制御端末機を一緒に備えた状態でのみ、動作可能である。言い換えれば、マスクの電極ノードを作動させて顔面マッサージ機能を作動させるためには必ず制御端末機を一緒に備えなければならない。よって、その使用及び携帯に不便が生ずる。さらに制御端末機に装着されたバッテリーの放電の際、顔面マッサージ器の全作動が不可能となる。
【００１２】
また、従来の顔面マッサージ器は、マスクの電極ノードが制御端末機から供給される電源によって同時に動作するとか同時に動作停止するものであるので、使用者が必要によって顔面の特定部位のみに対してマッサージ機能を受けることや、反対に特定部位に対してはマッサージ機能を受けないことは不可能であった。例えば、使用者が顔面に怪我をした部位があり、その部位を除いた他の顔面部位にだけマッサージ機能を受けようと思ってもそれが不可能である。このために、使用者はマッサージ器の使用をあきらめるか怪我をした部位の痛みを甘受してマッサージ機能を受けなければならない。
【００１３】
また、従来の顔面マッサージ器は、電極ノードの電流量を調整して顔面の経血部位に対する刺激強度を調整することはできるが、顔面皮膚に人の手でマッサージを行うような多様な刺激を提供することができなくて、非常に単純なマッサージ機能のみを提供する。
【発明の概要】
【発明が解決しようとする課題】
【００１４】
したがって、本発明は、前記のような問題点を解決するためになされたもので、電源がそれぞれに設けられ、個別駆動する 複数の振動モジュールを含み、別途の外部電源なしにもマスク自体構造だけでも動作してマッサージ機能を提供することができる顔面マッサージ器を提供することが目的である。
【００１５】
また、本発明は、顔面の特定部位のみに対してマッサージを行うことや、反対に顔面の特定部位を除いた残り部位のみに対してマッサージを行うことができ、使用者がマッサージ部位を選択することもできる顔面マッサージ器を提供することに目的がある。
【００１６】
また、本発明は、振動モジュールの振動パターンを調整して、撫で、擦り、掴み、押し、叩きなどの多様なマッサージ機能を提供することができる顔面マッサージ器を提供することに目的がある。
【課題を解決するための手段】
【００１７】
前記のような目的を達成するために、本発明による顔面マッサージ器は、内部に収容空間が形成されるマスクと、前記マスクの収容空間に収容され、電源がそれぞれに設けられ個別動作可能な少なくとも一つの振動モジュールとを含んで構成される。
【００１８】
また、前記マスクは、周縁部が互いに固定されて内側に前記収容空間を形成する第１マスク及び第２マスクからなり、前記第１マスク及び第２マスクのいずれか一方には前記振動モジュールの挿入及び引出のための切開された挿入口が一つ以上形成されることを特徴とする。
【００１９】
また、前記振動モジュールは、印刷回路基板と、前記印刷回路基板に設置される振動子と、前記印刷回路基板に実装され、電源供給の際に前記振動子の振動動力を提供する駆動部と、前記駆動部に電源を供給するバッテリーと、前記印刷回路基板とバッテリーを一体的に連結する支持板と、前記バッテリーの電源端子及び前記印刷回路基板に形成された前記駆動部の電源端子を電気的に連結する電源接続部材と、前記バッテリーの電源端子及び電源接続部材間の接触領域に付着され、前記バッテリーから分離されるとき、前記バッテリーの電源端子と電源接続部材間の接触を許容する絶縁部材とを含むことを特徴とする。
【００２０】
また、前記振動モジュールは、前記駆動部を制御して前記振動子の振動状態を制御する制御部をさらに含み、前記制御部は、前記駆動部をパルス幅変調（ＰＷＭ：ｐｕｌｓｅ ｗｉｄｔｈ ｍｏｄｕｌａｔｉｏｎ）方式で制御し、互いに異なる二つ以上の出力パルスを前記駆動部に出力し、前記互いに異なる二つ以上の出力パルスは前もって設定された基準によって順次出力されるかあるいは前もって選択されたいずれか一種だけが継続出力されることを特徴とする。
【００２１】
また、前記マスクを人体の頭部に着用するための着用部をさらに含むことを特徴とする。
【発明の効果】
【００２２】
本発明によると、それぞれに備えられた電源の供給によって個別駆動する複数の振動モジュールにより、別途の外部電源が無くてもマスクの振動モジュールを動作させてマッサージ機能を受けることができ、これにより使用上の便利性及び携帯の容易性などが向上する効果もある。
【００２３】
また、顔面の特定部位のみに対してマッサージを行うとか、反対に顔面の特定部位を除いた残り部位のみに対してマッサージを行うことができ、マッサージ部位も使用者が選択することができるので、使用者の顔面皮膚状態または個人的な性向などによってそれに適したマッサージ機能を提供することができる。
【００２４】
また、振動モジュールの振動パターンを調整して、撫で、擦り、掴み、押し、叩きなどの多様なマッサージ機能を提供することができ、これによりマッサージ機能及び効果が極大化することができる。
【図面の簡単な説明】
【００２５】
【図１】従来の顔面マッサージ器を示した斜視図である。
【図２】本発明の一実施例による顔面マッサージ器を示した斜視図である。
【図３】本発明の一実施例による顔面マッサージ器を示した分解斜視図である。
【図４】図２のＡ−Ａ線についての断面図である。
【図５】本発明の一実施例による顔面マッサージ器の振動モジュールを示した斜視図である。
【図６】図５の振動モジュールの側面図である。
【図７ａ】本発明の一実施例による振動モジュールにおいて制御部の出力パルス形態を示した図である。
【図７ｂ】本発明の一実施例による振動モジュールにおいて制御部の出力パルス形態を示した図である。
【図７ｃ】本発明の一実施例による振動モジュールにおいて制御部の出力パルス形態を示した図である。
【図７ｄ】本発明の一実施例による振動モジュールにおいて制御部の出力パルス形態を示した図である。
【図７ｅ】本発明の一実施例による振動モジュールにおいて制御部の出力パルス形態を示した図である。
【図７ｆ】本発明の一実施例による振動モジュールにおいて制御部の出力パルス形態を示した図である。
【図７ｇ】本発明の一実施例による振動モジュールにおいて制御部の出力パルス形態を示した図である。
【図７ｈ】本発明の一実施例による振動モジュールにおいて制御部の出力パルス形態を示した図である。
【図７ｉ】本発明の一実施例による振動モジュールにおいて制御部の出力パルス形態を示した図である。
【図８】本発明の一実施例による振動モジュールの背面図である。
【発明を実施するための形態】
【００２６】
以下、添付図面に基づいて本発明の一実施例による顔面マッサージ器を詳細に説明する。
【００２７】
図２は本発明の一実施例による顔面マッサージ器を示した斜視図であり、図３は本発明の一実施例による顔面マッサージ器の分解斜視図であり、図４は図２のＡ−Ａ線についての断面図である。 そして、図５は本発明の一実施例による顔面マッサージ器の振動モジュールを示した斜視図であり、図６ａ〜図６ｅは本発明の一実施例による皮膚マッサージ用振動モジュールにおいて制御部の出力パルス形態を示した図であり、図７は本発明の一実施例による皮膚マッサージ用振動モジュールの背面図である。
【００２８】
図２に示したように、本発明の一実施例による顔面マッサージ器はマスク２００と複数の振動モジュール１００を含んで構成され、図２を参照して本発明の一実施例による顔面マッサージ器の概括的な構成及び作用について説明する。
【００２９】
マスク２００は、内部に振動モジュール１００の収容のための収容空間が形成され、このようなマスク２００の収容空間に振動モジュール１００が収容され、その振動によって人体の顔面にマッサージ機能を提供する。ここで、振動モジュール１００は一つ以上が提供されることができ、このような振動モジュール１００は電源をそれぞれに備えて個別動作が可能である。これにより、本実施例の顔面マッサージ器は、外部電源が無くてもマスク２００の振動モジュール１００を動作させてマッサージ機能を提供することができ、顔面の特定部位のみに対してマッサージを行うことや反対に顔面の特定部位を除いた残り部位のみに対してマッサージを行うことができる。
【００３０】
次に、図２〜図８を参照して本実施例による顔面マッサージ器の具体的な構成について説明する。
【００３１】
図２〜図４を参照すれば、顔面マッサージ器は、第１マスク２１０、第２マスク２２０、及び振動モジュール１００を含む。また、顔面マッサージ器は着用部３００をさらに含むことができる。
【００３２】
第１マスク２１０と第２マスク２２０は、周縁部を互いに固定して相互間の内側に収容空間を形成する。そして、このような第１マスク２１０と第２マスク２２０のいずれか一方には振動モジュール１００の挿入及び引出のための切開された挿入口、あるいは振動モジュール１００の絶縁部材１８０を外部に引き出すための切開された挿入口２１０ａが形成される。本実施例では第１マスク２１０に絶縁部材１８０の外部への引出のための挿入口２１０ａが形成されたものを例とした。
【００３３】
振動モジュール１００は図５〜図８を参照して説明する。図５及び図６を参照すれば、振動モジュール１００は、印刷回路基板１１０、振動子１２０、駆動部１３０、制御部１４０、バッテリー１５０、支持板１６０、電源接続部材１７０、及び絶縁部材１８０を含む。
【００３４】
印刷回路基板１１０はその一面に振動子１２０が設置されるとともに駆動部１３０及び制御部１４０が実装される。よって、印刷回路基板１１０にはバッテリー１５０と駆動部１３０ 及び制御部１４０ の間の電気的接続のための回路パターンが形成される。そして、印刷回路基板１１０はフレキシブル回路基板（ＦＰＣＢ：Ｆｌｅｘｉｂｌｅ Ｐｒｉｅｎｔｅｄ Ｃｉｒｃｕｉｔ Ｂｏａｒｄ）で形成されることができ、これは振動モジュール１００が皮膚の屈曲に合わせてなだらかに曲がりながら皮膚表面に密着する機能をさらに向上させるためである。
【００３５】
振動子１２０は印刷回路基板１１０に設置され、駆動部１３０の駆動によって動力を受けて振動する。このような振動子１２０はその振動によって使用者の皮膚に刺激を加えるものである。すなわち、振動子１２０は皮膚マッサージ用振動モジュール１００において皮膚マッサージを行う直接的な部分であるとともに皮膚マッサージのための動力を皮膚マッサージ用振動モジュール１００の全体に伝達する部分である。そして、このような振動子１２０は印刷回路基板１１０及び支持板１６０に形成される振動子孔１６０ａに挿設されることができる。
【００３６】
これは振動モジュール１００の全体の厚さを減らすためのものである。言い換えれば、振動子１２０が印刷回路基板１１０のいずれか一面に設置されるとき、振動モジュール１００の全体の厚さは振動子１２０の厚さに印刷回路基板１１０及び支持板１６０の厚さを加えたものとなる。よって、印刷回路基板１１０と支持板１６０に振動子孔１６０ａを形成し、このような振動子孔１６０ａに振動子１２０を挿入した状態で設置し、振動モジュール１００の全体の厚さから印刷回路基板１１０及び支持板１６０の厚さの分だけ減るので、皮膚マッサージ用振動モジュール１００の全体の厚さを減らすことができる。
【００３７】
駆動部１３０は印刷回路基板１１０に実装され、バッテリー１５０から電源を受ける。このような駆動部１３０は振動子１２０に動力を提供する。このような駆動部１３０は、振動モーター、ソレノイド（Ｓｏｌｅｎｏｉｄ）、圧電（Ｐｉｅｚｏ）素子、及び線形振動器（Ｌｉｎｅａｒ Ｖｉｂｒａｔｏｒ）のいずれか一つから構成されることができる。
【００３８】
制御部１４０は印刷回路基板１１０に実装され、駆動部１３０の動作を制御して振動子１２０の振動状態を多様に調節する。このような制御部１４０はパルス幅変調（ＰＷＭ：Ｐｕｌｓｅ ｗｉｄｔｈ ｍｏｄｕｌａｔｉｏｎ）方式で駆動部１３０の動作を制御する。すなわち、制御部１４０はパルス幅変調方式の制御によって駆動部１３０を多様な形態に動作させる。この際、制御部１４０は互いに異なる二つ以上の出力パルスを出力し、出力パルスは前もって設定された基準によって互いに異なる二つ以上の出力パルスが順次出力される形態、あるいは前もって選択されたいずれか一種だけが継続出力される形態であることができる。そして、振動子１２０はこのような多様な出力パルス及びそれによる駆動部１３０の動作状態によって、撫で、擦り、掴み、押し、叩きなどの多様な形態のマッサージ機能を提供するように振動することができる。
【００３９】
図７を参照すれば、図７（ａ）〜図７（ｉ）は制御部１４０から駆動部１３０に出力される出力パルスの類型によって色々の相異なる形態に振動する振動子のマッサージ作用をイメージ化したものである。すなわち、図面において濃く表示された部分が振動子の振動が伝達される部分に当たり、余白部分が振動子の振動が停止またはない部分に当たる。
【００４０】
図７（ａ）は比較的強い振動が同一強度で所定時間の間に持続する形態を示したものであり、図７（ｂ）は比較的強い振動が同一強度で短時間の間、短い間隔で繰り返される形態を示したものであり、図７（ｃ）は比較的強い振動が同一強度で所定時間ずつ短い間隔で繰り返される形態を示したものである。また、図７（ｄ）は弱い振動から始まり、その振動が徐々に強くなって所定時間の間に持続する形態を示したものであり、図７（ｅ）は図７（ｄ）とは反対に強い振動から始まり、その振動が徐々に弱くなって所定時間の間に持続する形態を示したものである。図７（ｆ）は弱い振動から始まり、その振動が徐々に強くなって頂点をなしてから徐々に弱くなる形態を示したものである。その外に、図７（ｇ）から図７（ｉ）についての説明は省略する。
【００４１】
また、図５及び図６に戻り、バッテリー１５０は支持板１６０に設置され、電源接続部材１７０を介して駆動部１３０及び制御部１４０に電源を提供する。このようなバッテリー１５０は支持板１６０に形成されたバッテリー孔１６０ｂに挿設されることができる。これは振動モジュール１００の全体の厚さを減らすためのもので、前述した振動子１２０が振動子孔１６０ａに挿設されるものと同様な概念であるので、これについての詳細な説明は省略する。
【００４２】
支持板１６０は印刷回路基板１１０とバッテリー１５０を一体型に連結するために提供される。ここで、支持板１６０は振動モジュール１００の柔軟性確保のために柔軟素材から形成されることができる。また、支持板１６０の楕円形一面を基準に、バッテリー１５０と振動子１２０が支持板１６０の長軸方向両端にそれぞれ実装される形態であることができる。これにより、支持板１６０は、前記長軸の中央部に素子が実装されないことにより、これを基準に弾性を発揮してより大きな柔軟性を有することができる。
【００４３】
電源接続部材１７０は、バッテリー１５０の電源端子（図示せず）及び印刷回路基板１１０に形成された駆動部１３０の電源端子（図示せず）を電気的に連結する。言い換えれば、駆動部１３０は電源接続部材１７０を介してバッテリー１５０の電源を受ける。また、印刷回路基板１１０の電源端子は制御部１４０に対する電源供給の機能をすることもでき、これにより印刷回路基板１１０には電源端子と駆動部１３０及び制御部１４０を並列で連結する回路パターンが形成される。
【００４４】
絶縁部材１８０はバッテリー１５０の電源端子及び電源接続部材１７０との間の接触領域に付着される。すなわち、絶縁部材１８０はバッテリー１５０に付着されて、バッテリー１５０の電源端子と電源接続部材１７０との間の電気的接続を遮断し、このような絶縁部材１８０がバッテリー１５０から分離されるとき、バッテリー１５０の電源端子と電源接続部材１７０間の電気的接続がなされる。ここで、絶縁部材１８０がバッテリー１５０に着脱可能に付着され、絶縁部材１８０の着脱によってバッテリー１５０の電源端子と電源接続部材１７０間の電気的接続を制御して駆動部１３０に対するバッテリー１５０の電源の印加を断続することができる。
【００４５】
すなわち、絶縁部材１８０がバッテリー１５０の電源端子及び電源接続部材１７０間のスイッチング動作を行うことができる。この際、振動モジュール１００は別途のスイッチ構造を有しないながらも、絶縁部材１８０のスイッチング機能によって使用時にだけバッテリー１５０の電源が消耗されるようにすることができる。言い換えれば、スイッチの省略による振動モジュール１００の体積縮小が可能でありながらも、バッテリー１５０は振動子１２０の動作時にだけ消耗されるようにすることができる。
【００４６】
また、本実施例においては、絶縁部材１８０が薄シート状に形成され、バッテリー１５０に電源端子を遮るように着脱可能に付着される形態を例としたが、本発明がこれに限定されるものではなく、絶縁部材１８０はバッテリー１５０の電源端子領域に着脱されるとともにバッテリー１５０の電源端子と電源接続部材１７０の間に電源を印加することができる条件下で多様に変形して実施可能である。
【００４７】
そして、図８は本発明の一実施例による振動モジュールの背面図であり、バッテリー１５０と振動子１２０が印刷回路基板１１０及び支持板１６０に形成されたバッテリー孔１６０ｂ及び振動子孔１６０ａにそれぞれ挿入固定された状態を例示したものである。そして、振動モジュール１００の背面（支持背面）に緩衝パッド（図示せず）が付着されることができる。このような緩衝パッドは振動子１２０と人体の皮膚間の直接接触を防止する機能をする。図８においては、バッテリー孔１６０ｂと振動子孔１６０ａ及びそれらに挿入固定されたバッテリー１５０と振動子１２０の一面を表示するために、緩衝パッドの図示を省略した。また、緩衝パッドは不織布または液状を含むシートなどの多様な形態に実施可能である。
【００４８】
また、図２〜図４に戻り、着用部３００は人体の頭部にマスクを着用することができるようにする用途のものである。本実施例においては、このような着用部３００がヘアーバンド状のものを例としたが、本発明がこれに限定されるものではない。以下では本実施例を基準に説明する。着用部３００は一対のバンドからなり、このような一対のバンドの一端がマスク２００の両側にそれぞれ固定され、各バンドの他端には一対のバンド間の相互結合のためのベルクロテープ３１０が付着される。そして、ベルクロテープ３１０の長さを比較的長くして、ベルクロテープ１３０間の接触部位を多様に調節してバンド型着用部３００の長さを調整することもできる。
【００４９】
前述した図２〜図８の実施例から分かるように、本発明の顔面マッサージ器は、それぞれに設けられた電源からの供給によって、個別駆動する複数の振動モジュール１００によ り、別途の外部電源が無くてもマスク２００の振動モジュール１００を動作させてマッサージ機能を提供することができる。また、個別動作する複数の振動モジュール１００によって顔面の特定部位のみに対してマッサージを行うことや、反対に顔面の特定部位を除いた残り部位のみに対してマッサージを行うことができる。よって、マッサージの部位に対しても使用者が選択することができるので、使用者の顔面皮膚状態または個人的な性向などに適したマッサージの機能を提供することができる。
【００５０】
また、振動モジュール１００の駆動部をパルス幅変調（ＰＷＭ：ｐｕｌｓｅ ｗｉｄｔｈ ｍｏｄｕｌａｔｉｏｎ）方式で制御し、それから動力を受ける振動子を多様な振動パターンで動作させることができるので、撫で、擦り、掴み、押し、叩きなどのように人の手によって行われるマッサージの作用と類似した多様なマッサージ機能を提供することができる。
【００５１】
以上説明したものは本発明による顔面マッサージ器を実施するための一実施例に過ぎないものであり、本発明は前述した実施例に限定されなく、以下の請求範囲で請求するような本発明の要旨を逸脱しない範囲で、本発明が属する分野で通常の知識を有する者であれば誰でも多様な変更実施が可能な範囲まで本発明の技術的精神があると言える。
【符号の説明】
【００５２】
１００    皮膚マッサージ用振動モジュール
１１０    印刷回路基板
１２０    振動子
１３０    駆動部
１４０    制御部
１５０    バッテリー
１６０    支持板
１６０ａ    振動子孔
１６０ｂ    バッテリー孔
１７０    電源接続部材
１８０    絶縁部材
２００    マスク
２１０    第１マスク
２１０ａ    挿入孔
２２０    第２マスク
３００    着用部
３１０    ベルクロテープ 
【図１】
0005832648.tif 000002
【図２】
0005832648.tif 000003
【図３】
0005832648.tif 000004
【図４】
0005832648.tif 000005
【図５】
0005832648.tif 000006
【図６】
0005832648.tif 000007
【図７ａ】
0005832648.tif 000008
【図７ｂ】
0005832648.tif 000009
【図７ｃ】
0005832648.tif 000010
【図７ｄ】
0005832648.tif 000011
【図７ｅ】
0005832648.tif 000012
【図７ｆ】
0005832648.tif 000013
【図７ｇ】
0005832648.tif 000014
【図７ｈ】
0005832648.tif 000015
【図７ｉ】
0005832648.tif 000016
【図８】
0005832648.tif 000017